(57)【要約】【課題】  ＨＤＤの温度上昇による破損を確実に防止できるコンテンツ記録再生装置を提供すること。【解決手段】  コンテンツリストで特定される次に再生すべきコンテンツを再生し終えるまでにＨＤＤの温度が上限温度以上になると判断されると、次のコンテンツをＨＤＤではなく、フラッシュメモリから再生する。その結果、ＨＤＤの温度が上限温度以上になって、ＨＤＤが破損するという問題を確実に防止することができる。コンテンツリストで特定される次に再生すべきコンテンツを再生し終えるまでにＨＤＤの温度が上限温度以上にならないと判断されると、次のコンテンツをフラッシュメモリからではなく、ＨＤＤから再生する。【選択図】図２
2008276840.tif 000002
【特許請求の範囲】
【請求項１】
複数のコンテンツを記録するための第１コンテンツ記録媒体を備え、又は、該第１コンテンツ記録媒体が接続可能であり、
複数のコンテンツを記録するための第２コンテンツ記録媒体と、
該第２コンテンツ記録媒体に記録されたコンテンツの中から選択された複数のコンテンツのコンテンツ情報を含むコンテンツリストを選択する手段と、
該コンテンツリストで特定されるコンテンツを該第２コンテンツ記録媒体から該第１コンテンツ記録媒体に転送する転送手段と、
該コンテンツリストで特定される次に再生すべきコンテンツを再生し終えるまでに該第２コンテンツ記録媒体の温度が上限温度以上になるか否かを判断する判断手段と、
該判断手段によって上限温度以上になると判断された場合に、該コンテンツリストで特定される次に再生すべきコンテンツを該第１コンテンツ記録媒体から再生し、該判断手段によって上限温度以上にならないと判断された場合に、該コンテンツリストで特定される次に再生すべきコンテンツを該第２コンテンツ記録媒体から再生する再生手段とを備える、コンテンツ記録再生装置。
【請求項２】
複数のコンテンツを記録するための第１コンテンツ記録媒体を備え、又は、該第１コンテンツ記録媒体が接続可能であり、
複数のコンテンツを記録するための第２コンテンツ記録媒体と、
該第２コンテンツ記録媒体に記録されたコンテンツの中から選択された複数のコンテンツのコンテンツ情報を含むコンテンツリストを選択する手段と、
該コンテンツリストで特定されるコンテンツを該第２コンテンツ記録媒体から該第１コンテンツ記録媒体に転送する転送手段と、
該第２コンテンツ記録媒体からコンテンツを再生している場合、該コンテンツリストで特定される次に再生すべきコンテンツを再生し終えるまでに該第２コンテンツ記録媒体の温度が上限温度以上になるか否かを判断し、該第１コンテンツ記録媒体からコンテンツを再生している場合、該コンテンツリストで特定される次に再生すべきコンテンツを再生し終えるまでに該第２コンテンツ記録媒体の温度が下限温度以下になるか否かを判断する判断手段と、
該判断手段によって上限温度以上になると判断された場合に、該コンテンツリストで特定される次に再生すべきコンテンツの再生から該第１コンテンツ記録媒体からの再生に切り換え、該判断手段によって下限温度以下になると判断された場合に、該コンテンツリストで特定される次に再生すべきコンテンツの再生から該第２コンテンツ記録媒体からの再生に切り換える再生手段とを備える、コンテンツ記録再生装置。
【請求項３】
前記コンテンツリストの最初のコンテンツを再生し終えるまでに前記第２コンテンツ記録媒体の温度が上限温度以上になるか否かを判断する第２判断手段をさらに備え、
前記転送手段が、該第２判断手段によって上限温度以上になると判断された場合、該コンテンツリストの全コンテンツを該第２コンテンツ記録媒体から前記第１コンテンツ記録媒体に転送し、該第２判断手段によって上限温度以上にならないと判断された場合、該コンテンツリストの最初のコンテンツを除くコンテンツを該第２コンテンツ記録媒体から該第１コンテンツ記録媒体に転送し、
前記再生手段が、該コンテンツリストの最初のコンテンツを該第２コンテンツ記録媒体から再生開始し、かつ、該第２判断手段によって上限温度以上になると判断された場合、該コンテンツリストの最初のコンテンツの途中から、該第１コンテンツ記録媒体からの再生に切り換え、該第２判断手段によって上限温度以上にならないと判断された場合、該コンテンツリストの２番目のコンテンツから、該第１コンテンツ記録媒体からの再生に切り換える、請求項１または２に記載のコンテンツ記録再生装置。
【請求項４】
複数のコンテンツを記録するための第１コンテンツ記録媒体を備え、又は、該第１コンテンツ記録媒体が接続可能であり、
複数のコンテンツを記録するための第２コンテンツ記録媒体と、
該第２コンテンツ記録媒体に記録されたコンテンツの中から選択された複数のコンテンツのコンテンツ情報を含むコンテンツリストを選択する手段と、
該コンテンツリストの最初のコンテンツを再生し終えるまでに該第２コンテンツ記録媒体の温度が上限温度以上になるか否かを判断する判断手段と、
該コンテンツリストで特定されるコンテンツを該第２コンテンツ記録媒体から該第１コンテンツ記録媒体に転送する転送手段と、
該コンテンツリストの最初のコンテンツを該第２コンテンツ記録媒体から再生開始し、かつ、該判断手段によって上限温度以上になると判断された場合、該コンテンツリストの最初のコンテンツの途中から、該第１コンテンツ記録媒体からの再生に切り換え、上限温度以上にならないと判断された場合、該コンテンツリストの２番目のコンテンツから、該第１コンテンツ記録媒体からの再生に切り換える再生手段とを備える、コンテンツ記録再生装置。
【請求項５】
前記転送手段が、前記判断手段によって上限温度以上になると判断された場合、前記コンテンツリストの全コンテンツを前記第２コンテンツ記録媒体から前記第１コンテンツ記録媒体に転送し、上限温度以上にならないと判断された場合、該コンテンツリストの最初のコンテンツを除くコンテンツを該第２コンテンツ記録媒体から該第１コンテンツ記録媒体に転送する、請求項４に記載のコンテンツ記録再生装置。
【請求項６】
前記第１コンテンツ記録媒体の記憶容量と、前記第２コンテンツ記録媒体から該第１コンテンツ記録媒体に転送する全コンテンツの合計データサイズとに基づいて、転送する全コンテンツの圧縮率を算出する算出手段と、
該算出手段によって算出された圧縮率で転送する全コンテンツを圧縮する圧縮手段とをさらに備える、請求項１〜５のいずれかに記載のコンテンツ記録再生装置。
【請求項７】
前記第１コンテンツ記録媒体の空き容量と、前記第２コンテンツ記録媒体から該第１コンテンツ記録媒体に転送する全コンテンツの合計データサイズとに基づいて、該第１コンテンツ記録媒体に記録されたデータのうち削除するデータ容量を算出する第２算出手段と、
該第２算出手段によって算出された容量分のデータを該第１コンテンツ記録媒体から削除する削除手段とをさらに備える、請求項１〜６のいずれかに記載のコンテンツ記録再生装置。
【請求項８】
請求項１〜７のいずれかに記載のコンテンツ記録再生装置における各手段をコンピュータに実行させる、コンテンツ記録再生装置の動作プログラム。
【発明の詳細な説明】
【技術分野】
【０００１】
本発明は、コンテンツ記憶媒体に記録されたコンテンツを再生するコンテンツ記録再生装置に関する。
【背景技術】
【０００２】
近年、ＨＤＤ（Hard Disk Drive）を備え、ＨＤＤに記録されている複数のコンテンツ（例えば、曲データ等）の中から選択されたコンテンツを再生するコンテンツ記録再生装置が普及してきている。このようなコンテンツ記録再生装置においては、ＨＤＤからコンテンツを検索し、かつ、読み出して再生することにより、ＨＤＤの動作時間が増加すると、ＨＤＤの温度が上昇する。ＨＤＤの上限温度は６０度程度であり、これ以上の温度の状態が継続すると、ＨＤＤの破損につながる。従って、ＨＤＤの温度上昇による破損を確実に防止するコンテンツ記録再生装置が要望されている。
【０００３】
下記特許文献１は、ＨＤＤを備える携帯型プレーヤの消費電力削減のために、ＨＤＤに加えて１６ＭＢのＳＤＲＡＭを内蔵し、ＨＤＤからＳＤＲＡＭにコンテンツを読み出して、ＳＤＲＡＭからコンテンツを再生することにより、ＨＤＤの動作時間を削減する携帯型プレーヤを記載する。しかし、特許文献１では、数曲ごとにＨＤＤからＳＤＲＡＭにコンテンツを転送しており、ＨＤＤの現在の温度に関係なく数曲に１回はＨＤＤにアクセスする必要があるので、ＨＤＤの温度が高いときにＨＤＤへのアクセスが行われてしまうと、ＨＤＤの温度が上限温度以上になる可能性がある。従って、特許文献１では、ＨＤＤの温度上昇による破損を確実に防止することはできない。
【０００４】
【特許文献１】特開２００６−１８８６９号
【発明の開示】
【発明が解決しようとする課題】
【０００５】
本発明の目的は、ＨＤＤの温度上昇による破損を確実に防止できるコンテンツ記録再生装置を提供することである。
【課題を解決するための手段】
【０００６】
本発明の好ましい実施形態によるコンテンツ記録再生装置は、複数のコンテンツを記録するための第１コンテンツ記録媒体を備え、又は、該第１コンテンツ記録媒体が接続可能であり、複数のコンテンツを記録するための第２コンテンツ記録媒体と、該第２コンテンツ記録媒体に記録されたコンテンツの中から選択された複数のコンテンツのコンテンツ情報を含むコンテンツリストを選択する手段と、該コンテンツリストで特定されるコンテンツを該第２コンテンツ記録媒体から該第１コンテンツ記録媒体に転送する転送手段と、該コンテンツリストで特定される次に再生すべきコンテンツを再生し終えるまでに該第２コンテンツ記録媒体の温度が上限温度以上になるか否かを判断する判断手段と、該判断手段によって上限温度以上になると判断された場合に、該コンテンツリストで特定される次に再生すべきコンテンツを該第１コンテンツ記録媒体から再生し、該判断手段によって上限温度以上にならないと判断された場合に、該コンテンツリストで特定される次に再生すべきコンテンツを該第２コンテンツ記録媒体から再生する再生手段とを備える。
【０００７】
コンテンツリストで特定される次に再生すべきコンテンツを再生し終えるまでに第２コンテンツ記録媒体の温度が上限温度以上になると判断されると、次のコンテンツを第２コンテンツ記録媒体からではなく、第１コンテンツ記録媒体から再生する。その結果、第２コンテンツ記録媒体の温度が上限温度以上になって、第２コンテンツ記録媒体が破損するという問題を確実に防止することができる。しかも、コンテンツリストで特定される次に再生すべきコンテンツを再生し終えるまでに第２コンテンツ記録媒体の温度が上限温度以上にならないと判断されると、次のコンテンツを第１コンテンツ記録媒体からではなく、第２コンテンツ記録媒体から再生する。その結果、例えば、第１コンテンツ記録媒体のコンテンツが第２コンテンツ記録媒体のコンテンツよりも圧縮率が高い場合に、圧縮率の低い高品質なコンテンツを優先的に再生できる。
【０００８】
本発明の別の好ましい実施形態によるコンテンツ記録再生装置は、複数のコンテンツを記録するための第１コンテンツ記録媒体を備え、又は、該第１コンテンツ記録媒体が接続可能であり、複数のコンテンツを記録するための第２コンテンツ記録媒体と、該第２コンテンツ記録媒体に記録されたコンテンツの中から選択された複数のコンテンツのコンテンツ情報を含むコンテンツリストを選択する手段と、該コンテンツリストで特定されるコンテンツを該第２コンテンツ記録媒体から該第１コンテンツ記録媒体に転送する転送手段と、該第２コンテンツ記録媒体からコンテンツを再生している場合、該コンテンツリストで特定される次に再生すべきコンテンツを再生し終えるまでに該第２コンテンツ記録媒体の温度が上限温度以上になるか否かを判断し、該第１コンテンツ記録媒体からコンテンツを再生している場合、該コンテンツリストで特定される次に再生すべきコンテンツを再生し終えるまでに該第２コンテンツ記録媒体の温度が下限温度以下になるか否かを判断する判断手段と、該判断手段によって上限温度以上になると判断された場合に、該コンテンツリストで特定される次に再生すべきコンテンツの再生から該第１コンテンツ記録媒体からの再生に切り換え、該判断手段によって下限温度以下になると判断された場合に、該コンテンツリストで特定される次に再生すべきコンテンツの再生から該第２コンテンツ記録媒体からの再生に切り換える再生手段とを備える。
【０００９】
第２コンテンツ記録媒体からコンテンツを再生している場合に、コンテンツリストで特定される次に再生すべきコンテンツを再生し終えるまでに第２コンテンツ記録媒体の温度が上限温度以上になると判断されると、次のコンテンツの再生からは第１コンテンツ記録媒体からの再生に切り換える。その結果、第２コンテンツ記録媒体の温度が上限温度以上になって、第２コンテンツ記録媒体が破損するという問題を確実に防止することができる。一方、第１コンテンツ記録媒体からコンテンツを再生している場合に、コンテンツリストで特定される次に再生すべきコンテンツを再生し終えるまでに第２コンテンツ記録媒体の温度が下限温度以下になると判断されると、次のコンテンツの再生からは第２コンテンツ記録媒体からの再生に切り換える。コンテンツを第１コンテンツ記録媒体から再生することにより第２コンテンツ記録媒体の温度は下限温度まで十分に低下したと判断されるので、第２コンテンツ記録媒体からの再生に切り換えても、第２コンテンツ記録媒体の熱による破損に繋がらないからである。
【００１０】
好ましくは、コンテンツ記録再生装置は、前記コンテンツリストの最初のコンテンツを再生し終えるまでに前記第２コンテンツ記録媒体の温度が上限温度以上になるか否かを判断する第２判断手段をさらに備える。前記転送手段が、該第２判断手段によって上限温度以上になると判断された場合、該コンテンツリストの全コンテンツを該第２コンテンツ記録媒体から前記第１コンテンツ記録媒体に転送し、該第２判断手段によって上限温度以上にならないと判断された場合、該コンテンツリストの最初のコンテンツを除くコンテンツを該第２コンテンツ記録媒体から該第１コンテンツ記録媒体に転送し、前記再生手段が、該コンテンツリストの最初のコンテンツを該第２コンテンツ記録媒体から再生開始し、かつ、該第２判断手段によって上限温度以上になると判断された場合、該コンテンツリストの最初のコンテンツの途中から、該第１コンテンツ記録媒体からの再生に切り換え、該第２判断手段によって上限温度以上にならないと判断された場合、該コンテンツリストの２番目のコンテンツから、該第１コンテンツ記録媒体からの再生に切り換える。
【００１１】
コンテンツリストの最初のコンテンツは第２コンテンツ記録媒体から再生することにより、第２コンテンツ記録媒体から第１コンテンツ記録媒体にコンテンツリストのコンテンツを転送している間ユーザにコンテンツ再生開始を待たせることを防止できる。さらに、コンテンツリストの最初のコンテンツを再生し終えるまでに第２コンテンツ記録媒体の温度が上限温度以上になると判断されると、コンテンツリストの最初のコンテンツの途中で第２コンテンツ記録媒体からの再生から、第１コンテンツ記録媒体からの再生に切り換える。その結果、第２コンテンツ記録媒体の温度が上限温度以上になって、第２コンテンツ記録媒体が破損するという問題を確実に防止することができる。一方、コンテンツリストの最初のコンテンツを再生し終えるまでに第２コンテンツ記録媒体の温度が上限温度以上にならないと判断されると、コンテンツリストの２番目のコンテンツから、第２コンテンツ記録媒体からの再生から、第１コンテンツ記録媒体からの再生に切り換える。その結果、コンテンツの途中で第１コンテンツ記録媒体からの再生に切り替わることがなく、ユーザに違和感を与えることを防止できる。
【００１２】
本発明のさらに別の好ましい実施形態によるコンテンツ記録再生装置は、複数のコンテンツを記録するための第１コンテンツ記録媒体を備え、又は、該第１コンテンツ記録媒体が接続可能であり、複数のコンテンツを記録するための第２コンテンツ記録媒体と、該第２コンテンツ記録媒体に記録されたコンテンツの中から選択された複数のコンテンツのコンテンツ情報を含むコンテンツリストを選択する手段と、該コンテンツリストの最初のコンテンツを再生し終えるまでに該第２コンテンツ記録媒体の温度が上限温度以上になるか否かを判断する判断手段と、該コンテンツリストで特定されるコンテンツを該第２コンテンツ記録媒体から該第１コンテンツ記録媒体に転送する転送手段と、該コンテンツリストの最初のコンテンツを該第２コンテンツ記録媒体から再生開始し、かつ、該判断手段によって上限温度以上になると判断された場合、該コンテンツリストの最初のコンテンツの途中から、該第１コンテンツ記録媒体からの再生に切り換え、上限温度以上にならないと判断された場合、該コンテンツリストの２番目のコンテンツから、該第１コンテンツ記録媒体からの再生に切り換える再生手段とを備える。この場合にも上記と同様の効果が得られる。
【００１３】
好ましくは、前記転送手段は、該判断手段によって上限温度以上になると判断された場合、該コンテンツリストの全コンテンツを該第２コンテンツ記録媒体から該第１コンテンツ記録媒体に転送し、上限温度以上にならないと判断された場合、該コンテンツリストの最初のコンテンツを除くコンテンツを該第２コンテンツ記録媒体から該第１コンテンツ記録媒体に転送する。
【００１４】
好ましくは、コンテンツ記録再生装置は、前記第１コンテンツ記録媒体の記憶容量と、前記第２コンテンツ記録媒体から該第１コンテンツ記録媒体に転送する全コンテンツの合計データサイズとに基づいて、転送する全コンテンツの圧縮率を算出する算出手段と、該算出手段によって算出された圧縮率で転送する全コンテンツを圧縮する圧縮手段とをさらに備える。
【００１５】
この場合、第１コンテンツ記録媒体の記憶容量およびコンテンツリストで特定されるコンテンツに応じて、適切な圧縮率でコンテンツを圧縮した後、第２コンテンツ記録媒体から第１コンテンツ記録媒体に転送することができる。従って、より確実に第１コンテンツ記録媒体にコンテンツを転送し、記録することができる。
【００１６】
好ましくは、コンテンツ記録再生装置は、前記第１コンテンツ記録媒体の空き容量と、前記第２コンテンツ記録媒体から該第１コンテンツ記録媒体に転送する全コンテンツの合計データサイズとに基づいて、該第１コンテンツ記録媒体に記録されたデータのうち削除するデータ容量を算出する第２算出手段と、該算出手段によって算出された容量分のデータを該第１コンテンツ記録媒体から削除する削除手段とをさらに備える。
【００１７】
この場合、第１コンテンツ記録媒体に既にデータが記録されている場合に、第１コンテンツ記録媒体のデータを適切な容量分だけ削除して、第２コンテンツ記録媒体から第１コンテンツ記録媒体に転送することができる。従って、より確実に第１コンテンツ記録媒体にコンテンツを転送し、記録することができる。
【発明の効果】
【００１８】
本発明によると、第２コンテンツ記録媒体の温度が上限温度を越えて、破損するという問題を確実に防止することができる。
【発明を実施するための最良の形態】
【００１９】
以下、本発明の好ましい実施形態について、図面を参照して具体的に説明するが、本発明はこれらの実施形態には限定されない。図１は、本発明の好ましい実施形態によるコンテンツ記録再生装置１００の構成を示すブロック図である。コンテンツ記録再生装置１００は、ＨＤＤ（Hard Disk Drive）５に記録されている複数のコンテンツファイル（以下、曲データ、ファイル又はコンテンツという）の中から選択された曲データを再生部９において再生し、映像及び／又は音声等を出力するものである。また、コンテンツ記録再生装置１００は、ＨＤＤ５からフラッシュメモリ６にコンテンツリストで特定される複数の曲データを転送し、フラッシュメモリ６に記録させ、フラッシュメモリ６に記録された曲データを再生する。ここで、コンテンツとは、映像データ、曲（音楽）データ、又は静止画データ等の総称であるが、本例では曲データの場合を例に説明する。
【００２０】
コンテンツ記録再生装置１００は、システム制御部２、ＲＡＭ３、ＲＯＭ４、ＨＤＤ５、フラッシュメモリ６、操作部７、表示部８、および再生部９を備える。これらは、バスを介して互いに接続されている。または、コンテンツ記録再生装置１００は、フラッシュメモリ６に代えてＵＳＢインターフェース（図示せず）を備えていてもよく、この場合、内蔵フラッシュメモリ６の代わりに可搬型フラッシュメモリがＵＳＢインターフェースに接続されて同様に使用されてもよい。
【００２１】
システム制御部２は、コンテンツ記録再生装置１００の全体を制御するものであり、ＲＯＭ４またはＨＤＤ５に格納されたプログラムをＲＡＭ３内に読み出して実行することにより、後述する各処理を実行する。
【００２２】
システム制御部２は、ユーザ操作によって、ＨＤＤ５のコンテンツ情報ＤＢから所望の曲データのコンテンツ情報を含むコンテンツリストが選択され、かつ、再生指示が入力されたとき、コンテンツリストによって特定される曲データをＨＤＤ５からフラッシュメモリ６に転送させる。システム制御部２は、コンテンツリストの曲データを再生制御する際に、フラッシュメモリ６に転送され、記録された曲データを再生させる。また、システム制御部２は、コンテンツリスト内の１曲目の曲データについては、フラッシュメモリ６への曲データの転送待ちのために再生が遅れないよう、ＨＤＤ５から曲データを再生開始させる。
【００２３】
また、システム制御部２は、ＨＤＤ５の温度を予測し、ＨＤＤ５から１曲目の曲データを再生し終えてもＨＤＤ５の温度がＨＤＤ５の破損につながる温度（以下、上限温度といい、例えば６０度である）以上にならないと判断されると、コンテンツリストの２曲目から、ＨＤＤ５からの再生から、フラッシュメモリ６からの再生に切り換える。一方、ＨＤＤ５から１曲目の曲データを再生し終えるまでにＨＤＤ５の温度が上限温度以上になると判断されると、システム制御部２は、１曲目の再生途中であり、例えば１曲目の曲データがフラッシュメモリ６に転送完了した時点で、ＨＤＤ５からの再生から、フラッシュメモリ６からの再生に切り換える。
【００２４】
システム制御部２によるＨＤＤ５の温度予測は、図２に示すように、フィッティングによって行われる。フィッティング自体は、周知の技術を適用することにより実現可能である。システム制御部２は、所定時間毎（例えば、１秒ごと）に、ＨＤＤ５の温度を測定し、測定した温度をプロットし、温度関数を算出する。
【００２５】
現在時刻ｔ１で再生指示が入力されると、時刻ｔ１におけるＨＤＤ５の温度と、時刻ｔ１までのＨＤＤ５の温度関数を求め、時刻ｔ１以降のＨＤＤ５の温度を破線のように予測する。つまり、簡単のため温度関数を一次関数で近似して表し、時刻ｔ１の温度から同じ傾きで温度が上昇するように予測温度がプロットされる。そして、コンテンツリストの１曲目の曲データを再生し終えた時（時刻ｔ３）のＨＤＤ５の温度が上限温度以上になるか否かが判断される。
【００２６】
時刻ｔ３の予測温度が上限温度を超える場合、システム制御部２は、時刻ｔ２において１曲目の曲データの途中で、フラッシュメモリ６からの再生に切り換える。その結果、ＨＤＤ５の動作を停止させることにより、時刻ｔ２以降の実線のように、ＨＤＤ５の温度は低下する。
【００２７】
図１に戻って、ＨＤＤ５には複数のコンテンツ（曲データ）が記録されている。ＨＤＤ５に記録されている曲データは、システム制御部２の指示によって読み出され、再生部９によって再生される。または、ＨＤＤ５に記録された曲データは、システム制御部２の指示によって、フラッシュメモリ６に転送される。
【００２８】
ＨＤＤ５には、コンテンツ情報データベースが格納されている。コンテンツ情報データベース（以下、コンテンツ情報ＤＢという）は、ＨＤＤ５に記録されている全コンテンツに関するコンテンツ情報を管理するデータベースである。コンテンツ情報は、例えば、曲名、アーティスト名、アルバム名、ジャンル名、曲の長さ（曲の全再生時間）、曲のデータサイズ等を含む。ユーザ操作に応じて、コンテンツ情報ＤＢ内のコンテンツ情報の中から、ユーザが再生希望する曲データのコンテンツ情報を含むコンテンツリトが生成される。
【００２９】
フラッシュメモリ６は、ＨＤＤ５から転送された複数のコンテンツが記録され、システム制御部２によって読み出されて、再生される。一般的に、フラッシュメモリ６は、ＨＤＤ５よりも記憶容量が小さいので、選択されたコンテンツリストで特定される曲データのみがＨＤＤ５から転送されて、記録される。フラッシュメモリ６は、ＨＤＤ５に比べて熱に強いので、フラッシュメモリ６から曲データを長時間連続して再生することができる。フラッシュメモリ６にも、同様にフラッシュメモリ６に記録された全コンテンツのコンテンツ情報を含むコンテンツ情報ＤＢを格納する。
【００３０】
操作部７は、ユーザからの指示を受け付けてシステム制御部２に送信するものであり、操作ボタンやリモコン等である。例えば、操作部７には、コンテンツリストを選択する指示や、再生開始する指示がユーザ操作によって入力される。
【００３１】
表示部８は、ＬＣＤ（液晶ディスプレイ）等であり、システム制御部２の指示に基づいて、コンテンツリストや、再生中の曲データのコンテンツ情報等を表示する。再生部９は、ＨＤＤ５又はフラッシュメモリ６から読み出された曲データを再生する。
【００３２】
以上の構成を有するコンテンツ記録再生装置１００において、その動作を説明する。
［実施例１］
まず、図３を参照して、システム制御部２の動作の概要を説明する。ユーザ操作によって、ＨＤＤ５に記録されているコンテンツ情報ＤＢの中から再生すべきコンテンツリストが選択され（Ｓ１）、再生指示が入力される（Ｓ２）。つまり、ユーザによって、ＨＤＤ５に記録されているコンテンツの中から再生すべき曲データのコンテンツ情報を含むコンテンツリストが選択される。システム制御部２は、フラッシュメモリ６内の曲データを参照し（Ｓ３）、フラッシュメモリ６内にコンテンツリストで特定される曲データが格納されているか否かを判断する（Ｓ４）。
【００３３】
コンテンツリスト内の曲データがフラッシュメモリ６に格納されていれば（Ｓ４でＹＥＳ）、システム制御部２は、コンテンツリストの曲データをフラッシュメモリ６から読み出して、再生部９で再生するよう制御する（Ｓ５）。この場合には、既にフラッシュメモリ６に再生対象の曲データが格納済であるので、ＨＤＤ５からフラッシュメモリ６に曲データを転送する必要がない。
【００３４】
一方、コンテンツリスト内の曲データがフラッシュメモリ６に格納されていなければ（Ｓ４でＮＯ）、システム制御部２は、Ｓ７〜Ｓ９で、ＨＤＤ５からフラッシュメモリ６にコンテンツリスト内の曲データを転送した上で、フラッシュメモリ６からコンテンツリストの曲データを読み出して、再生させる。
【００３５】
具体的には、システム制御部２は、コンテンツリストの１曲目の曲データをＨＤＤ５から読み出して、再生開始させる（Ｓ６）。これにより、ＨＤＤ５からフラッシュメモリ６に曲データを転送している間、曲データの再生開始をユーザに待たせるという問題を解決できる。
【００３６】
続いて、システム制御部２は、ＨＤＤ５からフラッシュメモリ６へ転送すべき曲データを決定する処理を実行する（Ｓ７）。この処理は、コンテンツリストの全曲データをフラッシュメモリ６に転送するか、又は、再生中の１曲目の曲データ以外のコンテンツリストの曲データをフラッシュメモリ６に転送するかを判断する処理である。
【００３７】
図４を参照して、Ｓ７の詳細を説明する。システム制御部２は、１曲目の曲データ（ＨＤＤ５から読み出して再生中の曲データ）の全再生時間（曲の長さ）を取得する（Ｓ２１）。曲の全再生時間は、コンテンツリスト内にコンテンツ情報の１つとして含まれているので、それを取得する。
【００３８】
次に、システム制御部２は、ＨＤＤ５から読み出して再生中の１曲目の曲データの現在の再生位置、すなわち、再生済の再生時間を取得する（Ｓ２２）。そして、システム制御部２は、１曲目の曲データの残り再生時間を、全再生時間から再生済再生時間を減算することによって、算出する（Ｓ２３）。例えば、全再生時間が５分であり、現在の再生位置が１０秒であれば、残り再生時間は４分５０秒である。
【００３９】
次に、システム制御部２は、図２のようにフィッティングデータを参照し、１曲目の曲データの残り再生時間分を再生し終えたときのＨＤＤ５の温度を予測する（Ｓ２４）。詳細には、例えば、現在の時刻ｔ１に至るまでの所定時間（例えば５分間）の温度関数に基づいて、時刻ｔ１以降の温度関数を求め、破線で示すように時刻ｔ１以降の温度を予測し、プロットする。この例では、簡単のため温度関数を一次関数としており、時刻ｔ１に至るまでの所定時間の温度関数の傾きを、時刻ｔ１以降の温度関数の傾きとすることにより、破線の予測温度を算出する。そして、１曲目が再生終了する４分５０秒後の時刻ｔ３の温度を算出する。図２の例では、時刻ｔ３のＨＤＤ５の温度は６２度であると算出される。
【００４０】
ここで、システム制御部２は、１曲目を再生し終えるまでにＨＤＤ５の予測される温度が上限温度（例えば、６０度）以上になるか否かを判断する（Ｓ２５）。図２の例では、ＨＤＤ５の予測される温度が上限温度以上になると判断されるので（Ｓ２５でＹＥＳ）、システム制御部２はコンテンツリストの全曲データをフラッシュメモリ６に転送することを決定する（Ｓ２６）。ＨＤＤ５の温度が上限温度以上になることを防止するために、１曲目の途中からフラッシュメモリ６からの再生に切り換えるためである。
【００４１】
一方、ＨＤＤ５の予測される温度が上限温度未満であると判断される場合（Ｓ２５でＮＯ）、システム制御部２は、コンテンツリストの曲データのうち、１曲目の曲データ（ＨＤＤ５から読み出して再生中の曲データ）以外の曲データをフラッシュメモリ６に転送することを決定する。１曲目をＨＤＤ５から読み出して再生し終えてもＨＤＤ５の温度は上限温度以上にならないので、２曲目からフラッシュメモリ６からの再生に切り換えれば十分だからである。つまり、２曲目からフラッシュメモリ６からの再生に切り換えることにより、曲データの途中でフラッシュメモリ６からの再生に切り換えるよりも、違和感なくフラッシュメモリ６からの再生に切り換えることができる。
【００４２】
図３に戻って、システム制御部２は、Ｓ７で決定した曲データを必要に応じて圧縮し、フラッシュメモリ６に転送させる処理を実行する（Ｓ８）。図５を参照して、Ｓ８の処理を説明する。システム制御部２は、Ｓ７で転送すべきと決定した曲データのデータサイズの合計を算出する（Ｓ３１）。コンテンツリスト内にコンテンツ情報として各曲データのデータサイズが含まれているので、各データサイズを合計することにより合計データサイズが算出される。次に、システム制御部２は、フラッシュメモリ６の空き容量を確認する（Ｓ３２）。
【００４３】
続いて、システム制御部２は、Ｓ７で決定した全曲データを圧縮せずにフラッシュメモリ６に記録可能か否かを判断する（Ｓ３３）。なお、ここでいう圧縮するとは、非圧縮状態の曲データを圧縮することと、圧縮状態の曲データをより高い圧縮率で再圧縮することを包括する。具体的には、Ｓ３１で算出したフラッシュメモリ６に転送する曲データの合計サイズと、Ｓ３２で取得したフラッシュメモリ６の空き容量とを比較する。転送する曲データの合計サイズが空き容量以下の場合（Ｓ３３でＹＥＳ）、Ｓ４０に進み、システム制御部２は、曲データを圧縮せずにＨＤＤ５からフラッシュメモリ６に転送するよう制御する。
【００４４】
一方、転送する曲データの合計サイズが空き容量よりも大きい場合（Ｓ３３でＮＯ）、システム制御部２は、フラッシュメモリ６に記録されている全データを削除すれば、Ｓ７で決定した曲データを圧縮することなくフラッシュメモリ６に記録可能か否かを判断する（Ｓ３４）。具体的には、Ｓ３１で算出したフラッシュメモリ６に転送する曲データの合計サイズと、フラッシュメモリの全記憶容量（何も記録されていないときの最大記憶容量）とを比較する。
【００４５】
転送する曲データの合計サイズが、フラッシュメモリ６の全記憶容量以下の場合（Ｓ３４でＹＥＳ）、システム制御部２は、フラッシュメモリ６に記録されているデータのうち、削除する必要のあるデータサイズを決定する（Ｓ４２）。具体的には、この値は、フラッシュメモリ６に記録されているデータサイズ−（フラッシュメモリの全記憶容量−転送する曲データの合計サイズ）によって算出される。続いて、システム制御部２は、Ｓ４２で算出したデータサイズのデータをフラッシュメモリ６から削除する（Ｓ４３）。その後、Ｓ４０に進み、システム制御部２は、曲データを圧縮することなくＨＤＤ５からフラッシュメモリ６に転送するよう制御する。
【００４６】
Ｓ３４で、転送する曲データの合計サイズが、フラッシュメモリ６の全記憶容量より大きいと判断されたとき（Ｓ３４でＮＯ）、システム制御部２は、フラッシュメモリ６のデータを削除し、かつ、Ｓ７で決定した曲データを圧縮すれば、フラッシュメモリ６に記録可能か否かを判断する（Ｓ３５）。具体的には、転送する曲データを最大の圧縮率（最小のビットレート）で圧縮した場合の合計サイズと、フラッシュメモリの全記憶容量とを比較する。
【００４７】
転送する曲データを最大の圧縮率（最小のビットレート）で圧縮した場合の合計サイズが、フラッシュメモリの全記憶容量以下である場合（Ｓ３５でＹＥＳ）、システム制御部２は、圧縮するビットレートを決定する（Ｓ４１）。詳細には、圧縮後の曲データの合計サイズがフラッシュメモリの全記憶容量以下になるような最大のビットレートを圧縮するビットレートに決定する。
【００４８】
続いて、システム制御部２は、フラッシュメモリ６に記録されているデータのうち、削除する必要のあるデータサイズを決定する（Ｓ４２）。具体的には、この値は、フラッシュメモリ６に記録されているデータサイズ−（フラッシュメモリの全記憶容量−圧縮後の転送曲データの合計サイズ）によって算出される。続いて、システム制御部２は、Ｓ４２で算出したデータサイズのデータをフラッシュメモリ６から削除する（Ｓ４３）。その後、Ｓ３９に進み、システム制御部２は、曲データをＳ４１で決定したビットレートで圧縮して（Ｓ３９）、ＨＤＤ５からフラッシュメモリ６に転送するよう制御する（Ｓ４０）。
【００４９】
Ｓ３５で、転送する曲データを最大の圧縮率（最小のビットレート）で圧縮した場合の合計サイズが、フラッシュメモリの全記憶容量より大きい場合（Ｓ３５でＮＯ）、システム制御部２は、フラッシュメモリ６内の全データを削除し（Ｓ３６）、圧縮率を最大のもの（ビットレートを最小のもの）に決定する（Ｓ３７）。続いて、システム制御部２は、Ｓ７で決定された曲データのうち、圧縮することによってフラッシュメモリ６に記録可能な曲データをコンテンツリストの曲順に従って選択する（Ｓ３８）。続いて、システム制御部２は、Ｓ３８で選択した曲データを圧縮して（Ｓ３９）、ＨＤＤ５からフラッシュメモリ６に転送するように制御する（Ｓ４０）。
【００５０】
なお、Ｓ３８で選択されなかった曲データは、Ｓ３８で選択された全曲データを再生し終える前に、再生し終えた曲データをフラッシュメモリ６から削除して、空き容量を生成した後にフラッシュメモリ６に転送される。１曲の曲データを再生し終える毎に、フラッシュメモリ６からその曲データを削除して、別の曲データをＨＤＤ５から取得するようにすると、ＨＤＤ５の温度上昇に繋がるので、フラッシュメモリ６の空き容量が例えば全記憶容量の４／５以上になったときに、ＨＤＤ５から未転送の曲データを取得するようにすればよい。
【００５１】
再び、図３に戻って、システム制御部２は、ＨＤＤ５からの再生から、フラッシュメモリ６からの再生に切り換える再生切換処理を実行する（Ｓ９）。図６Ａ及び図６Ｂを参照して、Ｓ９の処理を説明する。まず、図６Ａを参照し、コンテンツリストの２曲目から、フラッシュメモリ６からの再生に切り換える処理を説明する（つまり、図４のＳ２５でＮＯと判断された場合）。システム制御部２は、ＨＤＤ５から再生されている１曲目の曲データが再生し終えたか否かを監視している（Ｓ５１）。再生し終えた場合（Ｓ５１でＹＥＳ）、システム制御部２は、ＨＤＤ５からの曲データの再生を停止させる（Ｓ５２）。そして、システム制御部２は、コンテンツリストの２曲目をフラッシュメモリ６から読み出して再生開始させる（Ｓ５３）。コンテンツリストの３曲目以降も同様にＨＤＤ５からではなく、フラッシュメモリ６から読み出して再生させる。
【００５２】
次に、図６Ｂを参照して、コンテンツリストの１曲目の途中から、フラッシュメモリ６からの再生に切り換える処理を説明する（つまり、図４のＳ２５でＹＥＳと判断された場合）。図７は、ＨＤＤ５からの再生から、フラッシュメモリ６からの再生に切り換える処理を模式的に説明する図であり、横軸は時間、縦軸は出力レベルである。
【００５３】
まず、システム制御部２は、ＨＤＤ５から再生中の曲データの現在の再生位置を取得する（Ｓ６１）。次に、システム制御部２は、フラッシュメモリ６内に記録されている同じ曲データ（コンテンツリストの１曲目の曲データ）のファイルを開き、再生開始位置をＳ６１で取得した再生位置に合わせる（Ｓ６２）。
【００５４】
次に、システム制御部２は、図７の時刻ｔ１１に示すように、フラッシュメモリ６内の曲データを再生開始位置から再生開始させるが、この時点ではフラッシュメモリ６から再生された曲データの出力レベルはミュート状態とされており、音声が出力されないようにする（Ｓ６３）。次に、システム制御部２は、ＨＤＤ５から再生される曲データの出力レベルをフェードアウトさせ、徐々に０に近づける（Ｓ６４、時刻ｔ１１〜ｔ２）。ＨＤＤ５から再生される曲データの出力レベルが略０になる時刻ｔ２において、システム制御部２は、ＨＤＤ５からの１曲目の曲データの再生を停止させる（Ｓ６５）。これと同時に、システム制御部２は、フラッシュメモリ６から再生されている曲データの出力レベルをミュート状態から解除して、出力レベルを０から徐々に大きくしていく（フェードインさせる）（Ｓ６６）。
【００５５】
このように、１曲目の曲データの再生をＨＤＤ５からの再生からフラッシュメモリ６からの再生に切り換える際に、ＨＤＤ５からの曲データの出力レベルを徐々に下げていき、一方、フラッシュメモリ６からの曲データの出力レベルを徐々に上げていくことにより、同じ曲データであっても、フラッシュメモリ６の曲データの方がＨＤＤ５の曲データよりもビットレートが低い場合でも、ユーザに音質の低下を意識させずに再生を切り換えることができる。
【００５６】
なお、図７のフラッシュメモリ６からの再生に切り換える時刻であるｔ２は、図２のフィッティングデータの時刻ｔ２に対応している。時刻ｔ２（すなわち、ＨＤＤ５の動作を停止させる時刻）は、ＨＤＤ５の予測温度が上限温度を超えない時刻になるように設定されている。
【００５７】
以上のように、本例では、コンテンツリストの１曲目の途中、又は２曲目から、フラッシュメモリ６からの再生に切り換えるので、ＨＤＤ５の温度が上限温度を超えて、ＨＤＤ５が破損することを防止できる。しかも、１曲目をＨＤＤ５から再生し終えた場合のＨＤＤ５の温度が上限温度を超えると判断されたときだけ、１曲目の途中からフラッシュメモリ６からの再生に切り換え、そうでなければ、２曲目からフラッシュメモリ６からの再生に切り換えるので、切換時の違和感を低減することができる。
【００５８】
［実施例２］
実施例１では、ＨＤＤ５からの再生から、フラッシュメモリ６からの再生に切り換えた後は、コンテンツリストの全ての曲データをフラッシュメモリ６から再生するようにしているが、本例では、ＨＤＤ５の温度予測に基づいて、各曲データを再生し終える直前に（又は直後でもよい）、次の曲データをフラッシュメモリ６からではなく、ＨＤＤ５から再生した場合に、ＨＤＤ５の温度が上限温度を超えるか否か判断し、越えないと判断された場合には、ＨＤＤ５から曲データを再生し、越えると判断された場合には、フラッシュメモリ６から曲データを再生する。この処理を、図８Ａ及び図８Ｂを参照して説明する。
【００５９】
まず、図８Ａを参照して、フラッシュメモリ６から曲データを再生している場合を説明する。システム制御部２は、曲データを再生し終える直前（例えば、再生し終える３秒前）か否かを監視している（Ｓ７１）。再生し終える直前になると（Ｓ７１でＹＥＳ）、システム制御部２は、コンテンツリストを参照して次に再生する曲データの全再生時間を取得する（Ｓ７２）。
【００６０】
次に、システム制御部２は、フィッティングデータを参照して（Ｓ７３）、次の曲データをＨＤＤ５から再生し終えるまでに、ＨＤＤ５の温度が上限温度以上になるか否かを判断する（Ｓ７４）。この場合、図９Ａに示すように、現在の時刻ｔ３２に至るまでの所定時間の温度関数はフラッシュメモリ６から再生しているものであり使用できないので、ＨＤＤ５から再生していた所定時間のうち最も新しい時間（図９Ａでは、時刻ｔ３０〜ｔ３１に至るまでの時間）の温度関数が使用され、ｔ３２の温度からこれと同じ傾きで温度が上昇するように温度を予測してプロットする（図９Ａの破線部分を参照）。
【００６１】
ＨＤＤ５から次の曲データを再生した場合にＨＤＤ５の温度が上限温度以上になると判断される場合（Ｓ７４でＹＥＳ）、システム制御部２は、フラッシュメモリ６から次の曲データを再生開始させる（Ｓ７７）。一方、ＨＤＤ５から次の曲データを再生した場合にＨＤＤ５の温度が上限温度以上にならないと判断される場合（Ｓ７４でＮＯ）、システム制御部２は、フラッシュメモリ６からの曲データの再生を停止させ（Ｓ７５）、ＨＤＤ５から次の曲データの再生を開始させる（Ｓ７６）。
【００６２】
次に、図８Ｂを参照して、ＨＤＤ５から曲データを再生している場合を説明する。システム制御部２は、曲データを再生し終える直前（例えば、再生し終える３秒前）か否かを監視している（Ｓ８１）。曲データを再生し終える直前になると（Ｓ８１でＹＥＳ）、システム制御部２は、コンテンツリストを参照して次に再生する曲データの全再生時間を取得する（Ｓ８２）。
【００６３】
次に、システム制御部２は、フィッティングデータを参照して（Ｓ８３）、次の曲データをＨＤＤ５から再生し終えるまでに、ＨＤＤ５の温度が上限温度以上になるか否かを判断する（Ｓ８４）。この場合、図９Ｂに示すように、現在時刻ｔ４１に至るまでの所定時間（図９Ｂでは、時刻ｔ４０〜ｔ４１）の温度関数が使用され、ｔ４１の温度からこの温度関数の傾きで温度を予測してプロットしていく（図９Ｂの破線を参照）。
【００６４】
ＨＤＤ５から次の曲データを再生した場合にＨＤＤ５の温度が上限温度以上にならないと判断されると（Ｓ８４でＮＯ）、システム制御部２は、ＨＤＤ５から次の曲データを再生開始させる（Ｓ８７）。一方、ＨＤＤ５から次の曲データを再生した場合にＨＤＤ５の温度が上限温度以上になると判断される場合（Ｓ８４でＹＥＳ）、システム制御部２は、ＨＤＤ５からの曲データの再生を停止させ（Ｓ８５）、フラッシュメモリ６から次の曲データの再生を開始させる（Ｓ８６）。
【００６５】
このように１曲毎にＨＤＤ５から曲データを再生した場合のＨＤＤ５の温度を予測して上限温度を超えると判断される場合にはフラッシュメモリ６から曲データを再生することにより、ＨＤＤ５の破損を防止し、ＨＤＤ５の温度を低下させることができる。一方、上限温度を超えないと判断される場合には、ＨＤＤ５から曲データを再生することにより、フラッシュメモリ６の曲データがＨＤＤ５の曲データよりもビットレートが低い場合に、ビットレートの高い曲データを再生することができる。
【００６６】
［実施例３］
実施例１において、コンテンツリストの１曲目の途中又は２曲目から、フラッシュメモリ６からの再生に切り換えた後、各曲データを再生終了する直前に（又は直後でもよい）、フィッティングデータを参照して、ＨＤＤ５の温度が所定の下限温度（例えば、２５度）以下になると判断されたときに、フラッシュメモリ６からの再生から、ＨＤＤ５からの再生に戻す。この処理の詳細を図１０に示すが、この処理は、実施例２における図８ＡのＳ７４において、「ＨＤＤ温度が上限温度以上になるか」との判断処理を、Ｓ９４において「ＨＤＤ温度が下限温度以下になるか」との判断に置き換え、かつ、「ＹＥＳ」、「ＮＯ」を入れ替えたものである。そのため、各処理については実施例２の説明を援用する。
【００６７】
図１１に示すように、現在時刻ｔ５２においてＳ９１でＹＥＳと判断されると、ｔ５２に至るまでの所定時間（ｔ５１〜ｔ５２）の温度関数の傾き（この場合マイナス）に基づいて、温度を予測してプロットする。Ｓ９４で次の曲データを再生し終えるまでにＨＤＤ５の温度が下限温度以下になるか否かが判断され、下限温度２５度以下になる場合（Ｓ９４でＹＥＳ）、フラッシュメモリ６からの再生から、ＨＤＤ６からの再生に切り換える（Ｓ９５、Ｓ９６）。下限温度以下にならならいと判断されると（Ｓ９４でＮＯ）、フラッシュメモリ６からの再生が継続される。なお、ＨＤＤ５からの再生から、フラッシュメモリ６からの再生に切り換える処理は実施例２の図８Ｂの処理と同じである。
【００６８】
本例では、ＨＤＤ５からの再生と、フラッシュメモリ６からの再生とが、次の曲データを再生し終えるまでにＨＤＤ５の上限温度に達すると予測される時と、下限温度以下になると予測されるときのみ切り換えられるので、切換回数が実施例２よりも少なくなる。その結果、ユーザに切換により違和感を与える回数を減らすことができる。
【００６９】
［実施例４］
実施例１では、１曲目の途中または２曲目から、フラッシュメモリ６からの曲データ再生に切り換えているが、本例では、コンテンツリストの曲データをフラッシュメモリ６に転送した後、各曲データを再生し終える直前に（直後でもよい）、ＨＤＤの温度が上限温度を超えるかを判断し、越えると判断された時にはじめてフラッシュメモリ６からの曲データの再生に切り換える。例えば、コンテンツリストの４曲目からはじめてフラッシュメモリ６からの再生に切り換えられる。この処理は、図８Ｂの処理と同じである。
【００７０】
［実施例５］
本例では、あるコンテンツリストの曲データを再生中に、ユーザ操作によって他のコンテンツリストに再生対象を切り換えられた場合を説明する。この場合には、新たに選択されたコンテンツリストの曲データのうち、フラッシュメモリ６に記録されていない曲データのみを選択して、ＨＤＤ５からフラッシュメモリ６に転送される。曲データの転送処理は、Ｓ７、図５の処理と同じであるので、説明を援用する。
【００７１】
以上、本発明の好ましい実施形態を説明したが、本発明はこれらの実施形態には限定されない。フラッシュメモリ６の代わりに可搬型のフラッシュメモリをＵＳＢインターフェースに接続して使用する場合も、上記各実施例と同様である。また、図３のＳ７では、１曲目を再生し終えるまでにＨＤＤの温度が上限温度を超えると判断されるか否かに関係なく、コンテンツリストの全曲データをフラッシュメモリ６に転送するようにしてもよい。本発明は、上記のコンテンツ記録再生装置を動作させるためのコンピュータプログラムまたはそのコンピュータプログラムを記録した記録媒体という形態で提供されてもよい。
【産業上の利用可能性】
【００７２】
本発明はＨＤＤレコーダ等のコンテンツ記録再生装置等に好適に適用され得る。
【図面の簡単な説明】
【００７３】
【図１】本発明の好ましい実施形態によるコンテンツ記録再生装置１００の構成を示すブロック図である。
【図２】フィッティングデータを示す図である。
【図３】システム制御部の動作概要を示すフローチャートである。
【図４】転送曲データ決定処理を示すフローチャートである。
【図５】圧縮転送処理を示すフローチャートである。
【図６Ａ】再生切換処理を示すフローチャートである。
【図６Ｂ】再生切換処理を示すフローチャートである。
【図７】再生切換処理を示す図である。
【図８Ａ】実施例２の再生切換処理を示すフローチャートである。
【図８Ｂ】実施例２の再生切換処理を示すフローチャートである。
【図９Ａ】実施例２のフィッティングデータを示す図である。
【図９Ｂ】実施例２のフィッティングデータを示す図である。
【図１０】実施例３の再生切換処理を示すフローチャートである。
【図１１】実施例３のフィッティングデータを示す図である。
【符号の説明】
【００７４】
１００      コンテンツ記録再生装置
２          システム制御部
３          ＲＡＭ
４          ＲＯＭ
５          ＨＤＤ
６          フラッシュメモリ
７          操作部
８          表示部
９          再生部
【図１】
2008276840.tif 000003
【図２】
2008276840.tif 000004
【図３】
2008276840.tif 000005
【図４】
2008276840.tif 000006
【図５】
2008276840.tif 000007
【図６Ａ】
2008276840.tif 000008
【図６Ｂ】
2008276840.tif 000009
【図７】
2008276840.tif 000010
【図８Ａ】
2008276840.tif 000011
【図８Ｂ】
2008276840.tif 000012
【図９Ａ】
2008276840.tif 000013
【図９Ｂ】
2008276840.tif 000014
【図１０】
2008276840.tif 000015
【図１１】
2008276840.tif 000016